(57)【要約】【課題】治具を用いずに容易に解体することのできるバンドクリップを提供する。【解決手段】挿通孔２１の内部に形成された、弾性係止アーム２２を係止解除位置に撓ませた際に該弾性係止アーム２２をロックするロック部２５と、バンド１０を変位させることにより弾性係止アーム２２を係止解除位置まで撓ませることを可能にする、バンド１０の変位のための余裕空間２８と、を備える。【選択図】図２
2010235158.tif 000002
【特許請求の範囲】
【請求項１】
可撓性を有したバンドの基端が連設され、ループ状に丸めた前記バンドの先端側を挿通する挿通孔を有したクリップ本体を備え、前記挿通孔の内部に、該挿通孔に挿通された前記バンドを係止する弾性係止アームが設けられたバンドクリップであって、
前記挿通孔の内部に形成された、前記弾性係止アームを係止解除位置に撓ませた際に該弾性係止アームをロックするロック部と、
前記バンドを変位させることにより前記弾性係止アームを前記係止解除位置まで撓ませることを可能にする、前記バンドの変位のための余裕空間と、
を備えたことを特徴とするバンドクリップ。
【請求項２】
前記弾性係止アームは、前記挿通孔の、前記バンドの先端が進入する側に位置する入口側に固定端を有し、且つ前記挿通孔の、該挿通孔を貫通した前記バンドの先端が出て行く側の出口側に自由端を有する片持アームとして、前記挿通孔の内壁に設けられ、
前記ロック部は、前記弾性係止アームの自由端の向かい側に突設され、
前記余裕空間は、前記挿通孔の出口側に設けられている、
ことを特徴とする請求項１に記載したバンドクリップ。
【請求項３】
前記ロック部は、前記弾性係止アームが前記バンドに係止しているとき、該弾性係止アームの自由端を受け止めて、該弾性係止アームを両持アームとするように設けられていることを特徴とする請求項２に記載したバンドクリップ。
【請求項４】
前記弾性係止アームの前記バンドに係止する面とは反対側には、該弾性係止アームを係止解除位置に撓ませるための撓み空間が形成され、該撓み空間に前記ロック部が臨んでおり、前記撓み空間に対して外部から、前記ロック部によるロックを解除するための治具が差し込み可能となっていることを特徴とする請求項１〜３のいずれか１項に記載したバンドクリップ。
【発明の詳細な説明】
【技術分野】
【０００１】
本発明は、ワイヤーハーネスなどを結束したり、ワイヤーハーネスなどを車体に取り付けたりする際に用いられるバンドクリップに関する。
【背景技術】
【０００２】
バンドクリップでワイヤーハーネスを結束したり、あるいは、バンドクリップでワイヤーハーネスを車体に固定したりした場合に、後からワイヤーハーネスを取り外したいという要望がある。例えば、車両の解体時には、リサイクルのためにワイヤーハーネスを車体から引き剥がす必要があるが、その際に、バンドクリップからワイヤーハーネスを容易に取り外したいという要望がある。
【０００３】
従来、そのような要望に応えるものとして、図５に示すようなバンドクリップが特許文献１に記載されている。
【０００４】
このバンドクリップ１００は、可撓性を有したバンド１１０の基端に連設された、ループ状に丸めたバンド１１０の先端側を挿通する挿通孔１２１を有したクリップ本体１２０が設けられ、挿通孔１２１の内部に、挿通孔１２１に挿通されたバンド１１０を係止する弾性係止アーム１２２が設けられたものである。
【０００５】
弾性係止アーム１２２のバンド１１０に対向する面には、バンド１１０側の係合歯列１１１に係合する係止突起１２３が設けられている。また、このバンドクリップ１００では、クリップ本体１２０の弾性係止アーム１２２と対向する壁部に、係止解除用の治具１３０を差し込むためのツール挿入孔１２５が設けられている。そして、そのツール挿入孔１２５から挿入した治具１３０の先端で、弾性係止アーム１２２を係止解除位置まで撓ませることにより、バンド１１０に対する係止を解除することができ、その状態を維持したまま、バンド１１０を挿通孔１２１から引き抜くことで、ワイヤーハーネスに対する締め付けを解除できるようになっている。なお、バンド１１０の適当な位置には、治具１３０の先端を弾性係止アーム１２２に届くように貫通させるための開口１１２が設けられている。
【先行技術文献】
【特許文献】
【０００６】
【特許文献１】特開平８−２７５３４８号公報
【発明の概要】
【発明が解決しようとする課題】
【０００７】
ところで、上述した特許文献１に記載されたバンドクリップ１００では、ツール挿入孔１２５から治具１３０を挿入して弾性係止アーム１２２を撓ませた状態に保持していないと、バンド１１０を引き抜くことができないため、作業が面倒になるという問題があった。また、ツール挿入孔１２５から治具１３０を挿入するスペースが取れない場所では、解体が難作業になるという問題があった。
【０００８】
本発明は、上述した事情に鑑みてなされたものであり、その目的は、治具を用いずに容易に解体することのできるバンドクリップを提供することにある。
【課題を解決するための手段】
【０００９】
前述した目的を達成するために、本発明に係るバンドクリップは、下記（１）〜（４）を特徴としている。
（１）  可撓性を有したバンドの基端が連設され、ループ状に丸めた前記バンドの先端側を挿通する挿通孔を有したクリップ本体を備え、前記挿通孔の内部に、該挿通孔に挿通された前記バンドを係止する弾性係止アームが設けられたバンドクリップであって、
前記挿通孔の内部に形成された、前記弾性係止アームを係止解除位置に撓ませた際に該弾性係止アームをロックするロック部と、
前記バンドを変位させることにより前記弾性係止アームを前記係止解除位置まで撓ませることを可能にする、前記バンドの変位のための余裕空間と、
を備えたこと。
（２）  上記（１）の構成のバンドクリップにおいて、
前記弾性係止アームは、前記挿通孔の、前記バンドの先端が進入する側に位置する入口側に固定端を有し、且つ前記挿通孔の、該挿通孔を貫通した前記バンドの先端が出て行く側の出口側に自由端を有する片持アームとして、前記挿通孔の内壁に設けられ、
前記ロック部は、前記弾性係止アームの自由端の向かい側に突設され、
前記余裕空間は、前記挿通孔の出口側に設けられている、
こと。
（３）  上記（２）の構成のバンドクリップにおいて、
前記ロック部は、前記弾性係止アームが前記バンドに係止しているとき、該弾性係止アームの自由端を受け止めて、該弾性係止アームを両持アームとするように設けられていること。
（４）  上記（１）〜（３）のいずれかの構成のバンドクリップにおいて、
前記弾性係止アームの前記バンドに係止する面とは反対側には、該弾性係止アームを係止解除位置に撓ませるための撓み空間が形成され、該撓み空間に前記ロック部が臨んでおり、前記撓み空間に対して外部から、前記ロック部によるロックを解除するための治具が差し込み可能となっていること。
【００１０】
上記（１）の構成のバンドクリップによれば、バンドの先端側を挿通する挿通孔の内部に、弾性係止アームを係止解除位置にロックしておくためのロック部と、弾性係止アームを係止解除位置まで撓ませることを可能にするバンドの変位のための余裕空間とが設けられているので、解体時、特に治具などを用いずに、手作業でバンドを変位させて、弾性係止アームを係止解除位置まで撓ませることにより、その位置で弾性係止アームをロック部によりロックしておくことができる。
従って、あとはその状態でバンドを挿通孔から引き抜くだけで、バンドのループを解くことができ、バンドで巻き締め保持していたワイヤーハーネスなどを取り外すことができる。この場合、治具を使用する必要がないから、解体が容易にできると共に、治具を用いると作業に障害があるような場合にも、解体を容易に行うことができる。
上記（２）の構成のバンドクリップによれば、挿通孔の出口側に余裕空間があるので、出口から延び出したバンドの余長部を弾性係止アームのある側に強く押し付けることにより、挿通孔内のバンドを弾性係止アーム側に変位させて、変位したバンドにより弾性係止アームを係止解除位置まで撓ませることができる。特に、挿通孔の出口側に片持式の弾性係止アームの自由端が向いているので、弾性係止アームの自由端を容易に変位させて、係止解除位置まで撓ませることができる。このため、より簡単に解体を行うことができる。
上記（３）の構成のバンドクリップによれば、弾性係止アームがバンドを係止しているときに、弾性係止アームを両持アームの状態で支持することができるので、バンドに対する弾性係止アームの係止力を強めることができ、ワイヤーハーネスなどに対するバンドによる保持力を高めることができる。
上記（４）の構成のバンドクリップによれば、弾性係止アームを間違って不用意にロック部によりロックした場合にも、撓み空間に治具を差し込むことにより、ロックを解除することができ、初期状態にリセットすることができる。
【発明の効果】
【００１１】
本発明によれば、解体時、特に治具などを用いずに、手作業でバンドを変位させて弾性係止アームを係止解除位置まで撓ませることにより、その位置で弾性係止アームをロック部によりロックしておくことができる。従って、あとはその状態でバンドを挿通孔から引き抜くだけで、バンドのループを解くことができ、バンドで巻き締め保持していたワイヤーハーネスなどを取り外すことができる。従って、治具が不要であることから、手作業で容易に解体ができると共に、治具を用いると作業に障害があるような場合にも、容易に解体を行うことができる。
【００１２】
以上、本発明について簡潔に説明した。更に、以下に説明される発明を実施するための形態を添付の図面を参照して通読することにより、本発明の詳細は更に明確化されるであろう。
【図面の簡単な説明】
【００１３】
【図１】本発明の実施形態のバンドクリップの構成図で、バンドを弾性係止アームにより係止している状態を示す正面図である。
【図２】図１の状態からバンドの余長部を持ち上げて、弾性係止アームを係止解除位置まで撓ませた状態を示す正面図である。
【図３】次に、バンドの余長部を放しても、ロック部により弾性係止アームが係止解除位置にロックされている状態を示す正面図である。
【図４】次に、バンドを挿通孔から引き抜いている途中の状態を示す正面図である。
【図５】従来のバンドクリップの構成を示す断面図である。
【発明を実施するための形態】
【００１４】
以下、本発明の実施形態を図面を参照して説明する。
図１は、実施形態のバンドクリップのバンドを弾性係止アームにより係止している状態を示す正面図、図２は、バンドの余長部を持ち上げて、弾性係止アームを係止解除位置まで撓ませた状態を示す図、図３は、バンドの余長部を放しても、ロック部により弾性係止アームが係止解除位置にロックされている状態を示す図、図４は、その状態でバンドを挿通孔から引き抜いている途中の状態を示す図である。
【００１５】
図１〜図４に示すように、このバンドクリップ１は、可撓性を有したバンド１０の基端に連接された、ループ状に丸めたバンド１０の先端側１０Ａを挿通する挿通孔２１を有したクリップ本体２０が設けられ、挿通孔２１の内部に、挿通孔２１に挿通されたバンド１０を係止する弾性係止アーム２２が設けられ、更にクリップ本体２０に車体パネル（図示せず）に固定するためのアンカー突起３０が設けられたものである。バンド１０は、ワイヤーハーネス８０の外周に巻き付けられることで、ワイヤーハーネス８０を束ねた状態で（あるいは単純に）保持することができるものであり、ワイヤーハーネス８０に巻き付けたときに内側となる面に係合歯列（鋸歯状凹凸）１１を有している。
【００１６】
アンカー突起３０は、パネルの取付孔（図示せず）に挿入される支柱部３１の先端から、該支柱部３１の根元側に向かって、パネルの取付孔の孔縁に係止する弾性羽根３２を斜めに延ばしたものであり、アンカー突起３０の根元側には、アンカー突起３０をパネルの取付孔に係止させた際に、パネルの板面に弾性的に押圧するスカート部（皿部）３５が設けられている。
【００１７】
また、前記弾性係止アーム２２のバンド１０に対向する面には、バンド１０側の係合歯列１１に係合する係止突起２３が設けられている。この係止突起２３が、弾性係止アーム２２の付勢力で任意の位置の係合歯列１１に係合することにより、バンド１０を挿通孔２１から抜けないように固定する。
【００１８】
また、挿通孔２１の内部には、弾性係止アーム２２を係止解除位置に撓ませた際に、弾性係止アーム２２をロックするロック部２５が設けられている。ロック部２５によって、撓まされ、元の形状に戻ろうとする弾性係止アーム２２には、その反発力に抗する力が作用する。また、挿入孔２１の内部には、バンド１０の変位により弾性係止アーム２２を係止解除位置まで撓ませることを可能にする、バンド１０の変位のための余裕空間２８が設けられている。
【００１９】
この場合、弾性係止アーム２２は、挿通孔２１の入口側（締め付け時に、バンド１０の先端が進入する側）に固定端を有し且つ挿通孔２１の出口側（締め付け時に、挿通孔２１を貫通したバンド１０の先端が出て行く側）に自由端２４を有する片持アームとして挿通孔２１の内壁に設けられ、その弾性係止アーム２２の自由端２４の向かい側にロック部２５が突設され、更に挿通孔２１の出口側にバンド１０の変位のための余裕空間２８が設けられている。
【００２０】
また、弾性係止アーム２２のバンド１０に係止する面とは反対側には、弾性係止アーム２２を係止解除位置に撓ませるための撓み空間２６が確保され、その撓み空間２６にロック部２５が臨んでいる。そして、撓み空間２６に対して外部から、ロック部２５によるロックを解除するための治具（図示せず）を差し込めるように、クリップ本体２０には撓み空間２６に達する挿入口（図示せず）が設けられている。
【００２１】
また、前記ロック部２５は弾性突片として形成されており、弾性係止アーム２２がバンド１０に係止しているときに、弾性係止アーム２２の自由端２４を受け止めることができ、それにより弾性係止アーム２２を両持アーム状態にすることができるようになっている（図１では、ロック部２５の先端が、弾性係止アーム２２の自由端２４の上部に接触することによって、バンド１０に係止する弾性係止アーム２２の上方への変位を抑えている）。
【００２２】
次に作用を説明する。
ワイヤーハーネス８０にバンドクリップ１を取り付ける場合は、バンド１０をワイヤーハーネス８０の外周にループ状に巻き付けながら、図１に示すように、バンド１０の先端側１０Ａをクリップ本体２０の挿通孔２１に挿通させる。
【００２３】
そうすると、バンド１０の先端側１０Ａが、係合歯列１１を弾性係止アーム２２の係止突起２３に摺動させながら挿入されていき、徐々にバンド１０が締まっていく。この際、係止突起２３が係合歯列１１に噛み合うことで、バンド１０は常に抜け止めされながら徐々に締まっていく。
【００２４】
やがて良く締まった段階でバンド１０の挿入動作を停止すると、その位置で弾性係止アーム２２の係止突起２３が係合歯列１１に確実に係合し、それにより、バンド１０がワイヤーハーネス８０の外周に固定される。このように弾性係止アーム２２がバンド１０に係合しているとき、弾性係止アーム２２の自由端２４が突片状のロック部２５に受け止められるので、弾性係止アーム２２は両持アームの状態で支持されることになる。そのため、バンド１０に対する弾性係止アーム２２の係止力が強まり、ワイヤーハーネス８０に対するバンド１０の保持力を高めることができる。
【００２５】
あとはクリップ本体２０に突設したアンカー突起３０を、パネルの取付孔に係合させることにより、ワイヤーハーネス８０をバンドクリップ１を介してパネルに固定することができる。なお、クリップ本体２０に突設したアンカー突起３０をパネルの取付孔に係合させてから、バンド１０によりワイヤーハーネス８０を固定してもよい。
【００２６】
次に車両の解体などに伴いワイヤーハーネス８０をバンドクリップ１から取り外す必要が生じた場合は、図２に示すように、挿通孔２１の出口側に飛び出しているバンド１０の余長部（先端側１０Ａ）を手で摘んで、矢印Ａで示す方向（弾性係止アーム２２のある側）に強く押し上げる。そうすると、挿通孔２１の出口側に余裕空間２８があるので、挿通孔２１内のバンド１０を弾性係止アーム２２側に変位させることができ、その変位したバンド１０により、弾性係止アーム２２を係止解除位置まで撓ませることができる。この際、特に、挿通孔２１の出口側に片持式の弾性係止アーム２２の自由端２４が向いているので、弾性係止アーム２２の自由端２４を容易に変位させて、係止解除位置まで撓ませることができる。
【００２７】
そして、このように弾性係止アーム２２を係止解除位置まで撓ませると、弾性係止アーム２２の自由端２４がロック部２５を乗り越えて（図１に示す、バンド１０を弾性係止アーム２２により係止している状態では、ロック部２５の自由端２４とロック部２５の先端とがわずかに接触している状態であるため、自由端２４がロック部２５を乗り越えることが可能となる。）、撓み空間２６側に移動するので、ロック部２５により自由端２４の戻りが阻止され、バンド１０から手を放してバンド１０が元の位置に戻ったあとも、図３に示すように、弾性係止アーム２２が係止解除位置にそのまま保持される。
【００２８】
従って、その状態で図４に示すように、弾性係止アーム２２の係止突起２３とバンド１０の係合歯列１１との係合が解除された状態で、バンド１０を挿通孔２１から引き抜くことができ、バンド１０のループを解いて、ワイヤーハーネス８０をバンドクリップ１から取り外すことができる。
【００２９】
このように、解体時に、特に治具などを用いずに、手作業でバンド１０を変位させて、弾性係止アーム２２を係止解除位置まで撓ませることにより、その位置で弾性係止アーム２２をロック部２５によりロックしておくことができ、あとはその状態でバンド１０を挿通孔２１から引き抜くだけで、バンド１０のループを解くことができ、バンド１０で巻き締め保持していたワイヤーハーネス８０を取り外すことができる。従って、治具を使用する必要がないから、解体が容易にできると共に、治具を用いると作業に障害があるような場合にも、解体を容易に行うことができる。
【００３０】
また、本実施形態のバンドクリップ１においては、弾性係止アーム２２を間違って不用意にロック部２５によりロックした場合にも、撓み空間２６に図示しない治具を差し込むことにより、ロックを解除することができるので、初期状態にリセットすることができる。
【００３１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３２】
１  バンドクリップ
１０  バンド
１０Ａ  先端側
１１  係合歯列
２０  クリップ本体
２１  挿通孔
２２  弾性係止アーム
２４  自由端
２５  ロック部
２６  撓み空間
２８  余裕空間
【図１】
2010235158.tif 000003
【図２】
2010235158.tif 000004
【図３】
2010235158.tif 000005
【図４】
2010235158.tif 000006
【図５】
2010235158.tif 000007